(57)【要約】【課題】エネルギー消費量を増加させることなく水素ガスの純度が安定するまでの時間を短縮できる水素製造装置の起動方法及び水素製造装置を提供することを目的とする。【解決手段】本発明は、炭化水素含有原料ガスの水蒸気改質により水素リッチな改質ガスを排出する改質器と、この改質ガス中の水素以外のガスをＰＳＡ方式によって吸着する水素精製器とを備える水素製造装置の起動方法であって、上記改質ガスを水素精製器に供給開始する改質器内温度Ｔ１及び水素製造装置の定常運転時における改質器内温度Ｔ２が下記式（１）を満たすことを特徴とする。  Ｔ１＜Ｔ２  ・・・（１）【選択図】図１
2014136655.tif 000002
【特許請求の範囲】
【請求項１】
炭化水素含有原料ガスの水蒸気改質により水素リッチな改質ガスを排出する改質器と、この改質ガス中の水素以外のガスをＰＳＡ方式によって吸着する水素精製器とを備える水素製造装置の起動方法であって、
上記改質ガスを水素精製器に供給開始する改質器内温度Ｔ１及び水素製造装置の定常運転時における改質器内温度Ｔ２が下記式（１）を満たすことを特徴とする水素製造装置の起動方法。
Ｔ１＜Ｔ２  ・・・（１）
【請求項２】
上記水素精製器がメタン及び二酸化炭素の双方を吸着する吸着剤を有する請求項１に記載の水素製造装置の起動方法。
【請求項３】
上記改質ガスを水素精製器に供給開始する改質器内温度Ｔ１が４００℃以上７００℃以下である請求項１又は請求項２に記載の水素製造装置の起動方法。
【請求項４】
上記水素精製器に供給開始する改質ガスの水素濃度が７０モル％未満である請求項１、請求項２又は請求項３に記載の水素製造装置の起動方法。
【請求項５】
炭化水素含有原料ガスの水蒸気改質により水素リッチな改質ガスを排出する改質器と、この改質ガス中の水素以外のガスをＰＳＡ方式によって吸着する水素精製器とを備える水素製造装置であって、
上記改質器が定常状態温度に到達する前の改質ガスを上記水素精製器に供給する制御手段を備えることを特徴とする水素製造装置。
【発明の詳細な説明】
【技術分野】
【０００１】
本発明は、水素製造装置の起動方法及び水素製造装置に関する。
【背景技術】
【０００２】
近年、地球環境の改善につながる燃料電池用の燃料として、水素への期待が高まっている。水素製造方法の代表的なものとしては、炭化水素（天然ガス）を燃料とした水蒸気改質法が挙げられる。この水蒸気改質法では、改質器で改質反応及び変成反応によって天然ガスから水素を多く含む改質ガスを生成し、この改質ガスに含まれる水素以外の不純物を改質器の後段に設置される水素精製器で除去する。この水素精製器としては、現状ではＰＳＡ（Ｐｒｅｓｓｕｒｅ  Ｓｗｉｎｇ  Ａｄｓｏｒｐｔｉｏｎ）方式が多用されている。
【０００３】
上記水素精製器では、改質ガス中の不純物を吸着塔が有する吸着剤によって吸着除去し（吸着工程）、その後この吸着剤が吸着した不純物を除去して吸着剤を再生する（再生工程）。通常水素精製器は２塔以上の吸着塔を有し、吸着工程及び再生工程を複数の吸着塔で交互に繰り返すことで連続的に水素精製を可能としている。
【０００４】
このようなＰＳＡ方式の水素製造装置は、水素製造装置を一旦停止すると、停止期間中に吸着剤が吸着していた不純物が拡散するため、再起動時にはこの不純物が除去されて精製ガスの純度（水素濃度）が安定するまでの予備運転の時間を要する。さらに、改質器で行われる原料ガスの改質反応は吸熱反応であるため、改質器内の温度が一定に達するまでは改質反応の進行が進まない。そのため、原料ガス及び水蒸気を供給開始後、改質ガスの水素濃度が一定値に達する（不純物濃度が一定値以下になる）まで予備運転が必要となる。つまり、従来の水素製造装置の起動手順は、まず改質器から排出される改質ガスが一定の品質になるまで改質器の予備運転の時間を要し、改質ガスの水素濃度が一定値に達した時点で水素精製器に改質ガスの供給を開始し、さらに水素精製器から排出される水素ガスの純度が安定するまでの時間を要する。そのため、原料ガスの供給開始後から製品として利用可能な高純度の水素ガスが得られるまでに一定の時間を要した。
【０００５】
そこで、水素製造装置の起動から水素ガス供給までの時間を短縮すべく、水素製造装置の停止期間において、水素精製器が排出したガスを昇圧し、再び水素精製器内へ循環供給することで水素精製器のみ運転を継続し、水素精製器内の不純物濃度を低く維持し、水素製造装置の再起動時の予備運転時間を短縮する方法が提案されている（特開２００４−２９９９９５号公報参照）。
【０００６】
また、水素製造装置の停止時に、全ての吸着塔を強制的に洗浄（再生）することで停止時に予め水素精製器内の不純物濃度を低減しておき、水素製造装置の再起動時の予備運転時間を短縮する方法も提案されている（特開２００９−１５４０７９号公報参照）。
【０００７】
しかしながら、上述の水素精製器の運転を継続する方法は、停止中にもガスの昇圧にエネルギーが消費されるため、停止期間も含めた水素製造装置のエネルギー効率が低下する。また、上述の停止時に吸着塔を洗浄する方法は、洗浄時に吸着塔を脱圧するため、再起動時に吸着塔を再昇圧するためのガス及びエネルギーが必要となる。さらに、ガスによって洗浄しても不純物は完全には除去され難く、精製ガスの純度安定までの時間短縮には改善の余地がある。
【先行技術文献】
【特許文献】
【０００８】
【特許文献１】特開２００４−２９９９９５号公報
【特許文献２】特開２００９−１５４０７９号公報
【発明の概要】
【発明が解決しようとする課題】
【０００９】
本発明は、前述のような事情に基づいてなされたものであり、エネルギー消費量を増加させることなく水素ガスの純度が安定するまでの時間を短縮できる水素製造装置の起動方法の提供を目的とする。
【００１０】
上記課題を解決するために鋭意検討した結果、本発明者らは、改質反応開始直後に排出される低温度で水素濃度の低い改質ガスが水素精製器の洗浄に利用可能であることを見出した。この改質ガスは改質反応の進行が不十分であるため不純物の濃度は高いが、小流量であれば改質ガスが含む不純物の総量は抑えられ水素精製器で十分除去が可能である。その一方でこの改質ガスを水素精製器内に供給及び排出することで水素精製器内に拡散した不純物をガスと共に排出除去することができる。
【００１１】
すなわち、上記課題を解決するためになされた発明は、
炭化水素含有原料ガスの水蒸気改質により水素リッチな改質ガスを排出する改質器と、この改質ガス中の水素以外のガスをＰＳＡ方式によって吸着する水素精製器とを備える水素製造装置の起動方法であって、
上記改質ガスを水素精製器に供給開始する改質器内温度Ｔ１及び水素製造装置の定常運転時における改質器内温度Ｔ２が下記式（１）を満たすことを特徴とする。
Ｔ１＜Ｔ２  ・・・（１）
【００１２】
当該水素製造装置の起動方法においては、改質ガスの生成（原料ガスの供給）開始後、改質器内が温度Ｔ１になった時点で水素精製器へ改質ガスを供給し、その後、この温度Ｔ１よりも高温の温度Ｔ２（水素製造装置の定常運転時における改質器内温度）にまで改質器の温度を上昇させる。すなわち、起動直後の改質器から排出される利用不可能な水素濃度の低いガスを水素精製器へ供給し水素精製器内を流通して排出させることで水素精製器の吸着塔内の不純物を除去できる。これにより、改質器内温度が温度Ｔ２になる前に不純物の除去作業を開始することができるため、改質器内温度が温度Ｔ２になってから水素精製器へ改質ガスを供給する従来の方法に比べ、水素精製器から排出される精製ガスの純度が安定するまでの時間を容易かつ確実に短縮することができる。なお、「供給開始」とは、水素製造装置の起動後に初めて水素精製器へ改質ガスを供給することを意味する。「定常運転」とは、水素製造装置から純度が安定した水素ガスが供給される運転状態を意味する。また、「改質器内温度」とは、改質器内の改質触媒充填層の出口温度を意味する。
【００１３】
上記水素精製器が、メタン及び二酸化炭素の双方を吸着する吸着剤を有するとよい。上記改質ガスは、低温時には原料ガスの改質反応が少ないのでメタン濃度が高く二酸化炭素濃度が低く、高温時には原料ガスの改質反応が著しくなって二酸化炭素濃度が高くメタン濃度が低くなる。従って、このようにメタン及び二酸化炭素の双方を吸着する吸着剤を水素精製器が有することで、この吸着剤が低温（供給開始時）の改質ガスが水素精製器に供給される場合にはメタンを主に吸着し、高温（定常時）の改質ガスが水素精製器に供給される場合には二酸化炭素を主に吸着するため、当該水素製造装置の起動方法を用いて容易かつ確実に高純度水素ガスの供給までの時間を短縮することができる。また、メタン用の吸着剤と二酸化炭素用の吸着剤をそれぞれ個別に用意する必要がなくなるため、水素製造装置のコスト低減、省スペース等を促進することができる。
【００１４】
上記改質ガスを水素精製器に供給開始する改質器内温度Ｔ１としては、４００℃以上７００℃以下が好ましい。このように改質ガスを水素精製器に供給開始する際の改質器内温度Ｔ１を上記範囲内とすることで、水素精製器内の不純物を増加させることなく容易かつ確実に水素精製器から排出される精製ガスの純度が安定するまでの時間を短縮することができる。
【００１５】
上記水素精製器に供給開始する改質ガスの水素濃度としては、７０モル％未満が好ましい。このように水素精製器に供給開始時の改質ガスの水素濃度を上記上限未満とすることで、容易かつ確実に水素精製器から排出される精製ガスの純度が安定するまでの時間を短縮することができる。
【００１６】
また、上記課題を解決するためになされた別の発明は、
炭化水素含有原料ガスの水蒸気改質により水素リッチな改質ガスを排出する改質器と、この改質ガス中の水素以外のガスをＰＳＡ方式によって吸着する水素精製器とを備える水素製造装置であって、
上記改質器が定常状態温度に到達する前の改質ガスを上記水素精製器に供給する制御手段を備えることを特徴とする。
【００１７】
当該水素製造装置は、改質ガスの生成開始後、改質器内温度が定常状態温度よりも低い状態で水素精製器へ改質ガスを供給する制御手段を備えているため、製造する水素ガスの純度が安定するまでの時間を短縮することができる。
【発明の効果】
【００１８】
以上説明したように、本発明の水素製造装置の起動方法及び水素製造装置は、エネルギー消費量を増加させることなく水素ガスの純度が安定するまでの時間を短縮できる。つまり、停止中に水素精製器に水素ガスを循環させる必要がなく、再起動時に吸着塔を再昇圧する必要もなく、起動時間の短縮を図ることができる。
【図面の簡単な説明】
【００１９】
【図１】本発明の実施形態に係る水素製造装置を示す概略図
【図２】図１の水素製造装置が有する水素精製器を示す概略図
【図３】本発明の水素製造装置の起動方法のフローチャート
【図４】実施例及び比較例のガス成分の時間変化を示すグラフ
【発明を実施するための形態】
【００２０】
以下、適宜図面を参照しつつ本発明の水素製造装置及び水素製造装置の起動方法の実施形態を詳説する。
【００２１】
＜水素製造装置＞
図１の水素製造装置１は、炭化水素を含有する原料ガスＡの水蒸気改質により水素リッチな改質ガスＢを排出する改質工程を行う改質器２と、改質ガスＢ中の水素以外のガスをＰＳＡによって吸着する水素精製工程を行う水素精製器３と、制御手段（図示せず）とを備える。
【００２２】
上記改質器２としては、例えば公知の水蒸気改質器と変成器とを組み合わせたものを用いることができる。また原料ガスＡとしては、天然ガス等の炭化水素を含有するガスを用いることができる。上記改質器２における原料ガスＡの反応はそれぞれ以下の化学式で表される改質反応及び変成反応で構成される。
（１）改質反応
ＣｎＨｍ＋ｎＨ２Ｏ→ｎＣＯ＋（ｍ／２＋ｎ）Ｈ２
（２）変成反応
ＣＯ＋Ｈ２Ｏ→ＣＯ２＋Ｈ２
【００２３】
改質器２では、原料ガス供給ライン１１から供給される原料ガスＡを水蒸気改質器で改質反応により水蒸気で改質して水素および一酸化炭素を主成分とするガスとした後（上記式（１））、さらに変成器でこのガスを水蒸気で変成し水素リッチな改質ガスＢを生成し排出する（上記式（２））。この改質ガスＢ中には、水素の他、一酸化炭素、二酸化炭素、メタン等の未反応の天然ガス成分、水などの不純物が含まれる。
【００２４】
改質器２から排出される改質ガスＢは、改質ガス供給弁Ｖ１及び改質ガス供給ライン１２を通して水素精製器３に供給される。ただし、当該水素製造装置１の起動直後、すなわち改質器２に原料ガスＡを供給開始直後は、改質器２内の温度が低く、吸熱反応である改質反応の進行が鈍く水素濃度の低い改質ガスＢが排出される。この水素濃度の低い改質ガスＢは改質ガス回収弁Ｖ２及び改質ガス回収ライン１３を通してオフガスとして回収され、燃料ガスとして使用される。
【００２５】
上記水素精製器３は、改質ガスＢ中の上記不純物を吸着する吸着剤を充填した複数の吸着塔４ａ，４ｂ，４ｃを有し、高純度の水素ガスＣを排出する。これらの吸着塔４ａ，４ｂ，４ｃは、それぞれ吸着、減圧、洗浄、昇圧、吸着一連の工程を順次切り替えて運転される。吸着塔内の圧力を減圧する工程及び水素ガスで洗浄する工程により、吸着した不純物を除去し、吸着剤を再生する。その後、吸着剤を再生した吸着塔を再び昇圧し水素精製に再び供する。当該水素製造装置１の運転中、いずれかの吸着塔が吸着工程となるように上記一連の工程をずらして切り替えることで、吸着と再生とを異なる吸着塔で同時に行うことが可能となり、連続的に水素ガスＣを製造できる。
【００２６】
吸着塔４ａ，４ｂ，４ｃには、改質ガスＢの主な不純物である一酸化炭素、二酸化炭素、メタンを吸着可能な吸着剤が充填される。この吸着剤は各不純物をＰＳＡで吸着可能なものであれば特に限定されない。但し、当該水素製造装置の起動方法においては、後述するように水素製造装置起動時のメタンの割合が高く二酸化炭素の割合が低い改質ガスＢと、改質器２の定常運転時におけるメタンの割合が低く二酸化炭素の割合が高い改質ガスＢとを共に精製できるように、メタンと二酸化炭素との双方を吸着可能な吸着剤を吸着塔４ａ，４ｂ，４ｃに用いることが好ましい。このようなメタンと二酸化炭素との双方を吸着可能な吸着剤としては、炭素系の吸着剤を挙げることができ、具体的には例えば活性炭、ＣＭＳ（カーボンモレキュラーシーブ）等を用いることができる。また、一酸化炭素の吸着剤としては、例えばゼオライト、シリカ、アルミナ、ポリスチレン系樹脂等を用いることができるが、特に多孔質シリカ、多孔質アルミナ、ポリスチレン系樹脂のうち１種以上の担体に、ハロゲン化銅（Ｉ）及び／又はハロゲン化銅（ＩＩ）を担持させた材料、又はこの材料を還元処理したものを用いることが好ましい。このような材料は、一酸化炭素の吸着性能が大きいため、吸着剤使用量を削減できると共に、水素回収率の向上を図ることが出来る。
【００２７】
改質ガス導入ライン１０１は改質器２から排出された改質ガスＢを水素精製器３へ導入するためのラインである。改質ガス導入ライン１０１と３つの吸着塔４ａ，４ｂ，４ｃとはそれぞれ改質ガス導入弁Ｖ１０１，Ｖ１０２，Ｖ１０３を介して接続される。
【００２８】
オフガス排出ライン１０２は吸着塔４ａ，４ｂ，４ｃ内を減圧するために用いるラインである。オフガス排出ライン１０２は、３つの吸着塔４ａ，４ｂ，４ｃとオフガス排出弁Ｖ１０４，Ｖ１０５，Ｖ１０６をそれぞれ介して接続される。このオフガス排出ライン１０２の下流には吸着塔４ａ，４ｂ，４ｃの再生時に大気圧以下まで減圧するための真空ポンプ（図示せず）が接続される。
【００２９】
オフガス排出ライン１０２から排出される吸着塔４ａ，４ｂ，４ｃのオフガスＤは、バッファタンク等に一時的に貯蔵され、例えば改質器２の水蒸気生成用の燃料ガスとして用いることができる。具体的には、上記オフガスＤをボイラ等で燃焼させることで改質用の蒸気を生成し、改質器２に導入する。
【００３０】
水素ガス回収ライン１０３は吸着塔４ａ，４ｂ，４ｃで改質ガスＢの不純物を除去して得た水素ガスＣの回収ラインであり、３つの吸着塔４ａ，４ｂ，４ｃとはそれぞれ水素ガス回収弁Ｖ１０７，Ｖ１０８，Ｖ１０９、第一流通弁Ｖ１１０，Ｖ１１１，Ｖ１１２、及び第二流通弁Ｖ１１３，Ｖ１１４，Ｖ１１５を介して接続される。回収した水素ガスＣはバッファタンク等に一時的に貯蔵され、適宜使用に供される。なお、当該水素製造装置１の起動後、水素純度が安定する（一定値に達する）前の水素ガスＣは、オフガスとして回収され、燃料ガスとして使用されるほか、改質ガスＢと混合して再度水素精製器３に供給される。
【００３１】
上記水素ガス回収ライン１０３には、１つの吸着塔から上記水素ガス回収弁、第一流通弁、及び第二流通弁の３つの弁を介して３種のラインが接続されているため、１つの吸着塔から水素ガスＣを回収しながら、他の１つの吸着塔に対して残りの吸着塔から水素ガスＣを供給して、洗浄及び均圧（一方の吸着塔を減圧すると同時に他の吸着塔を昇圧し、水素回収する）を行うことができる。例えば第一の吸着塔４ａがこれから再生工程に入る場合、第二の吸着塔４ｂに改質ガスＢが供給され、不純物が除去された水素ガスＣが第二の吸着塔４ｂの水素ガス回収弁Ｖ１０８を通して水素ガス回収ライン１０３から回収される一方で、第三の吸着塔４ｃでは第一の吸着塔４ａとの均圧が行われる。この均圧は、第一の吸着塔４ａの第二流通弁Ｖ１１３と第三の吸着塔４ｃの第二流通弁Ｖ１１５とを開とし、第一の吸着塔４ａと第三の吸着塔４ｃとを接続することにより第一の吸着塔４ａと第三の吸着塔４ｃとを均圧するものである。その後、第一の吸着塔４ａ内のガスを第一の吸着塔４ａのオフガス排出弁Ｖ１０４を通して排出することで第一の吸着塔４ａを減圧した後、第一流通弁Ｖ１１０から水素ガス回収ライン１０３より回収される水素ガスの一部を第一の吸着塔４ａに供給することにより、第一の吸着塔４ａの洗浄が行われる。この第一の吸着塔４ａの洗浄中はオフガス排出弁Ｖ１０４を通して不純物を含んだガスをオフガスとして排出する。一方、第三の吸着塔４ｃでは改質ガス導入弁Ｖ１０３を開けることにより、改質ガスを導入して改質ガスの不純物の吸着除去を開始する。なお、適宜バッファタンクを設け水素ガスＣを貯留し、このバッファタンクから水素ガスを供給して上記洗浄及び昇圧を行ってもよい。
【００３２】
なお、吸着塔４ａ，４ｂ，４ｃの昇圧及び洗浄には別途水電解装置で製造した洗浄用水素ガスを供給してもよい。この水電解装置としては、プロトン伝導高分子膜を用いた固体高分子水電解装置やアルカリ水電解装置等が利用できる。
【００３３】
当該水素製造装置１が備える制御手段は、後述する水素製造装置の起動方法を実行する制御装置であり、具体的には、改質器内温度が定常状態温度に到達する前の改質ガスＢを水素精製器３に供給するように制御する装置である。この制御装置としては公知のものを用いることができる。
【００３４】
＜水素製造装置の起動方法＞
本発明の水素製造装置の起動方法は、図３に示す手順で行われる。すなわち、まず改質器２に原料ガスＡ及び水蒸気を供給し、改質ガスＢの生成（原料ガスＡの改質）を開始する（手順Ｓ１０）。この時点では改質器２から排出される改質ガスＢは、改質ガス回収弁Ｖ２及び改質ガス回収ライン１３を通してオフガスとして排出される。次に、改質器内温度が温度Ｔ１（以下、供給開始温度Ｔ１と呼称することがある）になった時点で水素精製器３へ改質ガスＢを供給する（手順Ｓ２０）。具体的には、改質ガス回収弁Ｖ２を閉じ、改質ガス供給弁Ｖ１を開けることで、改質ガスＢを改質ガス供給ライン１２を通して水素精製器３に供給する。その後、改質ガス内温度を水素製造装置１の定常運転時における温度Ｔ２（以下、定常供給温度Ｔ２と呼称することがある）まで上昇させる（手順Ｓ３０）。なお、上記Ｔ１及びＴ２は下記式（１）を満たす。また、上記改質器内温度は改質器内の改質触媒充填層の出口温度を意味する。この改質触媒充填層の出口温度を計測することで改質ガスの組成を判断することができる。
Ｔ１＜Ｔ２  ・・・（１）
【００３５】
上記供給開始温度Ｔ１の下限としては、４００℃が好ましく、４５０℃がより好ましく、５００℃がさらに好ましい。供給開始温度Ｔ１が上記下限未満の場合、改質器２において改質反応が進行せず、改質ガスＢの不純物濃度（特に未反応のメタンの濃度）が極度に高くなって水素精製器３の洗浄が行えないばかりか、不純物濃度を高めるおそれがある。一方、供給開始温度Ｔ１の上限としては、７００℃が好ましく、６５０℃がより好ましく、６００℃がさらに好ましい。供給開始温度Ｔ１が上記上限を超える場合、改質器内の温度が供給開始温度Ｔ１に到達するまでの時間、すなわち改質ガスＢを水素精製器３へ供給開始するまでの時間が長くなるため、当該水素製造装置１で製造される水素ガスＣの純度が安定するまでの時間を十分に短縮することができない。
【００３６】
改質ガスＢの水素精製器３への供給開始時の水素濃度は、７０モル％未満が好ましく、６５モル％未満がより好ましい。供給開始時の水素濃度が上記範囲を超える場合、改質ガスＢを水素精製器３へ供給開始するまでに時間を要するため、当該水素製造装置１で製造される水素ガスＣの純度が安定するまでの時間を短縮することができない。
【００３７】
上記定常供給温度Ｔ２の下限としては、７２０℃が好ましく、７５０℃がより好ましい。定常供給温度Ｔ２が上記下限未満の場合、改質器２における改質反応が十分ではなく、結果として得られる水素ガスＣの純度が低下するおそれがある。一方、定常供給温度Ｔ２の上限としては、１０００℃が好ましく、９００℃がより好ましい。定常供給温度Ｔ２が上記上限を超える場合、得られる水素ガスＣの純度が頭打ちとなる一方で消費エネルギーばかりが高くなるため、エネルギー効率が低下するおそれがある。
【００３８】
上記定常供給温度Ｔ２と供給開始温度Ｔ１との温度差の下限としては、１０℃が好ましく、１００℃がより好ましい。定常供給温度Ｔ２と供給開始温度Ｔ１との温度差が上記下限未満の場合、当該水素製造装置１で製造される水素ガスＣの純度が安定するまでの時間を十分に短縮することができないおそれがある。一方、定常供給温度Ｔ２と供給開始温度Ｔ１との温度差の上限としては、４００℃が好ましい。定常供給温度Ｔ２と供給開始温度Ｔ１との温度差が上記上限を超える場合、定常供給温度Ｔ１が低くなって改質ガスＢの不純物濃度（特に未反応のメタンの濃度）が高まり水素精製器３内の不純物濃度を高めるおそれがあり、または定常供給温度Ｔ２が高くなって、消費エネルギーが大きくなりエネルギー効率が低下するおそれがある。
【００３９】
改質器内の温度が上記定常供給温度Ｔ２に達した後、水素精製器３から排出される水素ガスＣの純度が安定した時点で、当該水素製造装置１が定常運転状態となり、当該水素製造装置１によって高純度の水素ガスＣが供給される。
【００４０】
当該水素製造装置１の定常運転状態としては、例えば得られる水素ガスＣの水素濃度が９９．９７モル％以上、メタン濃度が２モルｐｐｍ以下、一酸化炭素濃度が０．２モルｐｐｍ以下、二酸化炭素濃度が２モルｐｐｍ以下となった状態とすることができる。
【００４１】
当該水素製造装置の起動方法においては、改質ガスＢの生成（原料ガスＡの供給）開始後、改質器内が温度Ｔ１になった時点で水素精製器３へ改質ガスＢを供給し、その後、この温度Ｔ１よりも高温の温度Ｔ２（水素製造装置１の定常運転時における改質器内温度）にまで改質ガスＢの温度を上昇させる。すなわち、起動直後の改質器２から排出される利用不可能な水素濃度の低い改質ガスＢを水素精製器３へ供給し水素精製器内を流通して排出させることで水素精製器３の吸着塔４ａ，４ｂ，４ｃ内の不純物を除去できる。これにより、改質器内温度が温度Ｔ２になる前に不純物の除去作業を開始することができるため、水素精製器３から排出される水素ガスＣの純度が安定するまでの時間を容易かつ確実に短縮することができる。
【００４２】
＜その他の実施形態＞
本発明の水素製造装置の起動方法は、上記実施形態に限定されるものではない。例えば、当該水素製造装置の起動方法で用いる水素製造装置は、上記実施形態のものに限定されず、例えば水素精製器が有する吸着塔の数は３に限定されず、２又は４以上であってもよい。但し、均圧操作によって効率よく吸着塔の再生及び昇圧を行うためには３以上の吸着塔を設けることが好ましい。
【００４３】
また、水素精製器は２段以上に分かれていてもよく、例えば一酸化炭素を吸着する第一の吸着塔群と、一酸化炭素以外の不純物を吸着する第二の吸着塔群とを有し、改質ガスをこの第一の吸着塔群及び第二の吸着塔群に直列で供給することで不純物を除去する方法を採用することもできる。
【００４４】
さらに、当該水素製造装置の起動方法は上述の制御装置により自動化して行うことが好適であるが、手動で行ってもよい。
【実施例】
【００４５】
以下、実施例を挙げて本発明をより具体的に説明するが、本発明はこれらに限定されるものではない。
【００４６】
［実施例１］
停止した状態の水素製造装置を用いて原料ガスを改質器に供給し、改質器の反応部の温度が５００℃となった時点で水素精製器に改質ガスの供給を開始し、その後改質器内の温度を定常温度（７５０℃）まで上昇させた。原料ガスの供給開始時点から、水素精製器への改質ガス供給開始までの時間（改質器の反応部の温度が５００℃なるまでの時間）は約２０分であった。なお、原料ガスは都市ガス１３Ａを用いた。また、改質器内の圧力は０．７５ＭＰａＧ、原料ガスの流量は１１．１ＮＬ／ｍｉｎ、水蒸気流量は４０．５ＮＬ／ｍｉｎとして原料ガスの改質を行った。さらに、水素精製器の吸着圧力は０．６５ＭＰａＧ、吸着塔の再生サイクルは５分とした。
【００４７】
改質ガスを水素精製器に供給開始した時点から水素精製器から排出される水素ガスの水素濃度、メタン濃度、一酸化炭素濃度、及び二酸化炭素濃度を計測した。結果を図４（ａ）に示す。
【００４８】
［比較例１］
停止した状態の水素製造装置を用いて原料ガスを改質器に供給し、改質器の反応部の温度が７５０℃となった時点で水素精製器に改質ガスの供給を開始し、改質器内の温度をそのまま定常に保った。原料ガスの供給開始時点から、水素精製器への改質ガス供給開始までの時間（改質器の反応部の温度が７５０℃なるまでの時間）は約４５分であった。なお、原料ガス、改質器及び水素精製器の条件は実施例１と同様とした。
【００４９】
改質ガスを水素精製器に供給開始した時点から水素精製器から排出される水素ガスの水素濃度、メタン濃度、一酸化炭素濃度、及び二酸化炭素濃度を計測した。結果を図４（ｂ）に示す。
【００５０】
［評価］
図４（ａ）に示されるように、実施例１は水素精製器に改質ガスを供給開始後約８０分で水素ガスの純度が安定し製品として供給可能な状態（水素濃度９９．９７モル％以上、メタン濃度２モルｐｐｍ以下、一酸化炭素濃度０．２モルｐｐｍ以下、二酸化炭素濃度２モルｐｐｍ以下）となった。従って、実施例１では水素製造装置の起動から製品利用可能な水素ガス供給開始までの時間は約１００分である。一方、図４（ｂ）に示されるように、比較例１は水素精製器に改質ガスを供給開始後約９０分で水素ガスの純度が安定し製品として供給可能な状態となった。従って、比較例１では水素製造装置の起動から製品利用可能な水素ガス供給開始までの時間は約１３５分である。この結果から、実施例１では従来の起動方法である比較例１に対し約３５分の時間を短縮できたことがわかる。
【産業上の利用可能性】
【００５１】
以上説明したように、当該水素製造装置の起動方法は、エネルギー消費量を増加させることなく水素ガスの純度が安定するまでの時間を短縮できるため、燃料電池等に水素を供給する水素製造装置に好適に用いることができる。
【符号の説明】
【００５２】
１  水素製造装置
２  改質器
３  水素精製器
４ａ，４ｂ，４ｃ  吸着塔
１１  原料ガス供給ライン
１２  改質ガス供給ライン
１３  改質ガス回収ライン
１０１  改質ガス導入ライン
１０２  オフガス排出ライン
１０３  水素ガス回収ライン
Ａ  原料ガス
Ｂ  改質ガス
Ｃ  水素ガス
Ｄ  オフガス
【図１】
2014136655.tif 000003
【図２】
2014136655.tif 000004
【図３】
2014136655.tif 000005
【図４】
2014136655.tif 000006